(57)【要約】【課題】宝飾品を使用して、今までにない斬新な置物を提供する。【解決手段】本願の置物２は、外部と連絡可能な凹部１０が形成された自然石や鉱石など置物本体５と、前記凹部１０に一部が外部に露出した状態で挿入された宝飾品２０と、を具備し、前記宝飾品２０の一部が、加熱により溶融し、時間の経過とともに固化する溶融体２５により前記凹部１０に固定されている。【選択図】図１
0003132843.tif 000002
【実用新案登録請求の範囲】
【請求項１】
外部と連絡可能な凹部が形成された置物本体と、
前記凹部に一部が外部に露出した状態で挿入された宝飾品と、を具備し、
前記宝飾品の一部が、加熱により溶融し、時間の経過とともに固化する溶融体により前記凹部に固定されていることを特徴とする置物。
【請求項２】
前記凹部は、斜め下方に傾斜するように形成されていることを特徴とする請求項１に記載の置物。
【請求項３】
前記凹部には、一部が前記溶融体に接し、他の一部が外部に連絡する熱伝導性を有する部材が設けられていることを特徴とする請求項１、又は２に記載の置物。
【考案の詳細な説明】
【技術分野】
【０００１】
本考案は、置物に関し、例えば、家の居間などに飾られる装飾機能を有する置物に関するものである。
【背景技術】
【０００２】
従来から、室内を彩る装飾品や置物は、多種多様な形態で存在している。かかる装飾品や置物は、それぞれの用途や好みに合わせて、空間に配置、又は空間を飾ることで人間の美感に訴えるものであって、その空間にいる者に満足感や和みを与えるものである。
【０００３】
また、アクセサリ（例えば、指輪やネックレス）など小物の装飾品（宝飾品）は、通常、小物入れに収納する。一般に小物入れは複数の部屋に区分けされており、当該宝飾品を収納してしまうと、再び人の目に触れるには当該小物入れから取り出す必要がある。
【考案の開示】
【考案が解決しようとする課題】
【０００４】
装飾品には、多種多様なものがあるが、その装飾品とユーザとの間には特別な思い入れは存在しない。
【０００５】
また、思い入れの深い宝飾品などはいつも目にしておきたいという思いが人にはあるが、小物入れに収納してしまうと、小物入れを開けない限り見ることができない。
【０００６】
そこで本願は、宝飾品を使用して、今までにない斬新な置物を提供することを目的とする。
【課題を解決するための手段】
【０００７】
上述した課題を解決するため、本願請求項１に記載の置物は、外部と連絡可能な凹部が形成された置物本体と、前記凹部に一部が外部に露出した状態で挿入された宝飾品と、を具備し、前記宝飾品の一部が、加熱により溶融し、時間の経過とともに固化する溶融体により前記凹部に固定されていることを特徴とする。
【０００８】
この発明によれば、思い入れの深い宝飾品が置物本体の一部に露出した形態で空間に配置されるようになっており、例えば、置物本体として自然石や鉱石などを用いることによって、置物本体がもつ形状、模様、色彩などと、宝飾品がもつ輝きなどが組み合わされて装飾性を有する置物として機能する。よって、空間にいる者の美感に訴え、満足感や和みを与えることが可能となる。
【０００９】
また、請求項２に記載の置物は、請求項１に記載の置物において、前記凹部は、斜め下方に傾斜するように形成されている。このようにすれば、宝飾品を凹部に挿入して固定する作業が容易に行える。
【００１０】
また、請求項３に記載の置物は、請求項１、又は２に記載の置物において、前記凹部には、一部が前記溶融体に接し、他の一部が外部に連絡する熱伝導性を有する部材が設けられていることを特徴とする。
【００１１】
このようにすれば、当該部材を外部から加熱することによって、容易に溶融体を溶融することができるので、宝飾品の取り外しが容易になる。
【考案を実施するための最良の形態】
【００１２】
以下、本願を実施するための最良の形態について、図面を用いて説明する。図１は本実施形態にかかる置物の外観図、図２は置物の縦断面図、図３は置物の他の実施形態を示す縦断面図である。
【００１３】
図１に示すように、置物２は、自然石や鉱石などの置物本体５と、アクセサリなどの宝飾品２０と、を含んで構成されている。当該置物本体５は、例えば、居間など人の集まる場所に台座８に載置されて使用される。
【００１４】
置物本体５は、前面上部に外部と連絡する開口１０ａを有する所定の深さの凹部１０が形成され、当該凹部１０は、宝飾品２０の裏側の一部を収納する収納部として機能する。そして、宝飾品２０は、図２に示すように、当該凹部１０に前側の一部が外部に露出した状態で裏側の一部が挿入され、蝋燭のロウ２５により固定されている。
【００１５】
なお、宝飾品２０を凹部１０に挿入した状態で固定するための部材はロウ２５に限定されるものではなく、例えば、加熱により溶融し、時間の経過とともに固化する溶融体であればどのようなものでもかまわない。
【００１６】
置物本体５は、所定の石材をそのまま、又は加工して形成したものであり、材質としては、翡翠、瑪瑙、水晶などが好適に用いられる。また、宝飾品２０は、ユーザが思い入れの深い指輪の他、ネックレスなどのアクセサリ類であり、材質としては、ダイヤ、サファイヤ、ルビーなどが好適に用いられる。当該ユーザに関連する宝飾品２０を用いることで、当該宝飾品２０をいつでも見られることから、ユーザは思い出に浸ることができる。また、本実施形態に示す置物２のように、自然石や鉱石ととともに宝飾品２０を用いることにより、自然石や鉱石が本来もっている形状、模様、色彩などと、宝飾品２０が本来もっている輝きなどが組み合わされることによって、ユーザは、一層の満足感や和みを得られ、効果的となる。これにより、自然石や鉱石、又は宝飾品が単体では創出できない装飾効果を得られる。
【００１７】
また、宝飾品２０は、ロウ２５を所定の温度に加熱することで容易に取り出すことができ、他の宝飾品に入れ替えることも容易であるため、便利である。一方、宝飾品２０を凹部１０に固定する際には、予め溶融したロウ２５を凹部１０に流し込んだ後、宝飾品２０を差し込み、所定の時間そのままにしてロウ２５が固化するのを待てば良い。
【００１８】
また、図３に示すように、凹部１０に端面が外部に露出するように略コの字状の金属板３０を取り付けるようにしても良い。また、金属板３０に限られず、熱伝導性を有する部材であればどのようなものであっても構わない。また、熱伝導性を有する部材は、凹部１０に一部が前記ロウ２５に接し、他の一部が外部に連絡していれば上記実施形態に示す形状でなくても構わない。このようにすれば、当該金属板３０を外部から加熱することによって、容易にロウ２５を溶融することが可能となり、宝飾品２０の取り外しが更に容易になる。
【００１９】
−置物の製造、及び宝飾品の取り外しについて−
当該置物２は、例えば、購入者によって置物本体５と宝飾品２０が選択されることにより製造される。
【００２０】
まず、購入者によって選択された宝飾品２０の形状にしたがって、置物本体５の一部に宝飾品２０の一部が挿入される凹部１０を所定の位置に形成する。
【００２１】
次いで、当該凹部１０に、予め溶融された蝋燭のロウ２５を流し込むと同時、又はその後に宝飾品２０を挿入し、当該ロウ２５が固まるまで待つことで完成する。
【００２２】
一方、宝飾品２０を当該凹部１０から取り外す際には、当該ロウ２５を外部から加熱、又は外部に露出している金属板２５の端部を加熱し、ロウ２５を溶融することで、簡単に宝飾品２０を取り外すことが可能となっている。
【００２３】
以上に説明したように、本考案の置物２は、外部と連絡可能な凹部１０が形成された自然石や鉱石など置物本体５と、前記凹部１０に一部が外部に露出した状態で挿入された宝飾品２０と、を具備し、前記宝飾品２０の一部が、加熱により溶融し、時間の経過とともに固化する溶融体（ロウ２５）により前記凹部１０に固定されている。
【００２４】
そして、置物２は、思い入れの深い宝飾品２０が置物本体５の一部に露出した形態で空間に配置されるようになっており、置物本体５がもつ形状、模様、色彩などと、宝飾品２０がもつ輝きなどが組み合わされて装飾性を有する置物として機能する。よって、空間にいる者の美感に訴え、満足感や和みを与えることが可能となる。
【００２５】
また、前記凹部１０は、斜め下方に傾斜するように形成されている。このようにすれば、宝飾品２０を凹部１０に挿入して固定する作業が容易に行える。
【００２６】
また、前記凹部１０に、一部が前記ロウ２５に接し、他の一部が外部に連絡する熱伝導性を有する部材（金属板３０）を設けるようにしても構わない。このようにすれば、当該金属板３０を加熱することによって、容易に溶融体を溶融することができるので、宝飾品２０の取り外しが容易になる。
【００２７】
なお、本実施形態は一形態であって、この形態に限定されるものではなく、例えば、本実施形態において、置物本体は、自然石や鉱石などを用いているが、位牌や仏具などを用いても構わない。その場合には、例えば、位牌や仏具本体に凹部１０を形成し、当該凹部１０に故人が使用したアクセサリ類などをロウ２５によって固定すればよい。
【図面の簡単な説明】
【００２８】
【図１】本実施形態にかかる置物の外観図である。
【図２】置物の縦断面図である。
【図３】置物の他の実施形態を示す縦断面図である。
【符号の説明】
【００２９】
２  置物
５  置物本体
１０  凹部
２０  宝飾品
２５  ロウ
３０  金属板
【図１】
0003132843.tif 000003
【図２】
0003132843.tif 000004
【図３】
0003132843.tif 000005